(57)【要約】【課題】短時間で製造することができる上、製造コストを下げることができるメラミンの器を提供する。【解決手段】メラミンの器１は、１次熱圧プレス成型工程により器状に作成されるとともに、メラミン粉材１０、メラミン粒基材１１、ベークライト粉／粒及び尿素粉／粒を含む。メラミン粒基材１１は、メラミン粉材１０の粒状からなり、メラミン粉材１０と混合され、熱圧プレス成型によりメラミンの器１が作成され、メラミンの器１の外表面に色が表される。メラミン粒基材１１と混合されたメラミン粉材１０は単色である。単色又は多色で粒のサイズが同じか異なるメラミン粒基材１１と混合され、熱圧プレス成型によりメラミンの器１が作成される。【選択図】図１
0003191478.tif 000002
【実用新案登録請求の範囲】
【請求項１】
１次熱圧プレス成型工程により器状に作成されるとともに、メラミン粉材、メラミン粒基材、ベークライト粉／粒及び尿素粉／粒を含むメラミンの器であって、
上記メラミン粒基材は、メラミン粉材の粒状からなり、メラミン粉材と混合され、熱圧プレス成型によりメラミンの器が作成され、メラミンの器の外表面に色が表されることを特徴とするメラミンの器。
【請求項２】
前記メラミン粒基材と混合されるメラミン粉材は単色であり、
単色又は多色で粒のサイズが同じか異なるメラミン粒基材と混合され、熱圧プレス成型によりメラミンの器が作成されることを特徴とする請求項１に記載のメラミンの器。
【請求項３】
前記メラミン粒基材は、ベークライト粉／粒又は尿素粉／粒により代替され、安全かつ無毒な割合でメラミン粉材と混合され、熱圧プレス成型によりメラミンの器が作成されることを特徴とする請求項１に記載のメラミンの器。
【請求項４】
前記メラミン粉材は、ベークライト粉／粒又は尿素粉／粒により代替され、安全かつ無毒な割合でメラミン粒基材と混合され、熱圧プレス成型によりメラミンの器が作成されることを特徴とする請求項１に記載のメラミンの器。
【請求項５】
前記ベークライト粉／粒又は尿素粉／粒は、安全かつ無毒な割合でメラミン粉材及びメラミン粒基材と混合され、熱圧プレス成型によりメラミンの器が作成されることを特徴とする請求項１に記載のメラミンの器。
【請求項６】
１次熱圧プレス成型工程により作成されるとともに、メラミン粒基材、ベークライト粉／粒及び尿素粉／粒を含むメラミンの器であって、
上記メラミン粒基材は、メラミン粉材の粒状からなり、２種類又は３種類以上の色のメラミン粒基材と混合され、熱圧プレス成型によりメラミンの器が作成され、メラミンの器の外表面に色が表されることを特徴とするメラミンの器。
【請求項７】
前記メラミン粒基材の粒は、同じ又は異なるサイズを有することを特徴とする請求項６に記載のメラミンの器。
【請求項８】
前記メラミン粒基材は、ベークライト粉／粒又は尿素粉／粒により一部代替され、安全かつ無毒な割合でメラミン粒基材と混合され、熱圧プレス成型によりメラミンの器が作成されることを特徴とする請求項６に記載のメラミンの器。
【考案の詳細な説明】
【技術分野】
【０００１】
本考案は、メラミンの器に関し、特に、メラミン粒基材とメラミン粉基材との撹拌加熱射出成形により、見た目が良い上、セラミックに似た見た目を有するメラミンの器を形成する技術に関する。
【背景技術】
【０００２】
メラミンは、無臭かつ無毒で、耐熱性に優れ、表面硬度が高く、耐磨耗性を有し、着色自在で光沢性に優れ、環境汚染を発生させないなどの特性を有するため、各種日用品に広く応用されている。食器、果物用皿、サラダ用碗、ナイフ、フォーク、スプーンなど様々なキッチン用品以外に、浴室用品として作成することができ、その応用範囲は非常に広かった。メラミンは応用範囲が広く、その長所を高めながら、製造コストを下げることは現代人のニーズを満たすことができるため、メーカにとって重要な研究対象となっている。従来のメラミンの器構造は、メラミン基材（ｍｅｌａｍｉｎｅ  ｂａｓｉｃ  ｍａｔｅｒｉａｌ）、メラミン樹脂基材及び複数の木材料部材から構成されている。メラミン基材は、メラミン粉／粒材を熱圧プレス成型し、メラミン樹脂と溶接して一体化し、接着して複数の木材料部を覆ってメラミンの器を作成する。上述した材料のメラミン基材、メラミン樹脂基材及び木質部のそれぞれを混合し、熱圧プレス成型によりメラミンの器を作成する。このように多数の熱圧プレス、複雑な製造工程を行うため、製造コストが高くなった。他の従来のメラミンの器構造では、メラミンの粉状又は粒状の材料を利用し、熱圧プレス成型工程によりメラミン基材を成形し、熱圧プレス成型されたメラミン粉砕状二次材と混合した後、１次熱圧プレス成型を行うが、その特徴としては粉砕状二次材が熱熔融により軟化しないため、形状が不規則であり、サイズが不均一で多種類の色の粉砕状二次材は、その色彩及び形状をメラミンの器の外表面にはっきりと表すことができる点であるが、このようなメラミンの器が使用するメラミン基材及びメラミン二次材は、それぞれ熱圧成形を行い、メラミン二次材をさらに粉砕処理する必要があるため、メラミン基材とメラミン二次材とを再び熱圧プレス成型しなければならず、全体の製造工程が複雑となり、製造コストが依然として高かった。
【考案の概要】
【考案が解決しようとする課題】
【０００３】
本考案の第１の目的は、メラミン粒基材が必要に応じてメラミン粉材を様々な色及び大きさに形成された粒状からなり、熱圧プレス成型を何度も行わなくとも、メラミン粉材と混合してメラミンを作成する際、１回だけの熱圧プレス成型によりメラミンの器を作成するため、短時間で製造することができる上、製造コストを下げることができるメラミンの器を提供することにある。
本考案の第２の目的は、メラミン粒基材がメラミン粉材と混合されて熱圧プレス成型が行われても破裂しないで拡散・変形だけが生じるため、メラミン粉材と結合された後、色がはっきりと表され、見た目が良い上、セラミックに似た見た目を有するメラミンの器を提供することにある。
本考案の第３の目的は、見た目が良い上、セラミックに似た見た目を有するメラミンの器を形成するため、製造メーカの必要に応じてメラミン粒基材の色を変化させ、各メーカの必要性を満たすメラミンの器を提供することにある。
【図面の簡単な説明】
【０００４】
【図１】図１は、本考案の一実施形態に係るメラミンの器を示す斜視図である。
【考案を実施するための形態】
【０００５】
図１を参照する。図１に示すように、本考案の一実施形態に係るメラミンの器１は、必要に応じて形状を設計することが可能で、メラミン粉材１０と、メラミン粉材により作成された粒状のメラミン粒基材１１とを十分に混合撹拌した後、熱圧プレスによりメラミンの器１を作成する。メラミン粒基材１１と混合されるメラミン粉材１０は、単色を呈する。メラミン粒基材１１は、メラミン粉材１０により作成され、色及びサイズが異なる粒状でもよい。
【０００６】
単色のメラミン粉材１０と、単色でサイズが異なるメラミン粒基材１１とを十分に撹拌・混合し、熱圧プレス成型によりメラミンの器１を作成し、メラミン粒基材１１とメラミン粉材１０とが混合されて熱圧プレスされて射出成形されるため破裂せず、単に変形・拡散される。また色彩がメラミンの器１の外表面にはっきりと表れるため、見た目が良い上、セラミックに似た見た目を有するメラミンの器１を作成することができる。
【０００７】
熱圧プレスを行う前に、単色のメラミン粉材１０により色を選択し、メラミン粒基材１１の大粒・小粒を組み合わせる割合及び色彩を調整してから熱圧プレスを行い、作成の完成品のニーズを満たす。
【０００８】
本実施形態はさらに２種類以上の色、サイズのメラミン粒基材１１と単色のメラミン粒基材１１とを混合・撹拌してメラミンの器１を作成する。
【０００９】
本実施形態のメラミンの器１は、２種類又は３種類以上の色と、同じ又は異なるサイズとを有するメラミン粒基材１１を互いに混合・撹拌して熱圧プレスして射出成形される。
【００１０】
本実施形態のメラミン粒基材１１は、ベークライト粉（ｂａｋｅｌｉｔｅ  ｐｏｗｄｅｒ）／粒又は尿素粉／粒により代替され、安全かつ無毒な割合を適用してメラミン粉材１０と混合され、熱圧プレス成型によりメラミンの器１を作成してもよい。
【００１１】
本実施形態のメラミン粉材１０は、ベークライト粉／粒又は尿素粉／粒により代替され、安全かつ無毒な割合によりメラミン粒基材１１と混合され、熱圧プレス成型によりメラミンの器１を作成してもよい。
【００１２】
本実施形態のベークライト粉／粒又は尿素粉／粒は、安全かつ無毒な割合でメラミン粉材１０及びメラミン粒基材１１と混合され、熱圧プレス成型によりメラミンの器１を作成してもよい。
【符号の説明】
【００１３】
１  メラミンの器
１０  メラミン粉材
１１  メラミン粒基材
【図１】
0003191478.tif 000003
【手続補正書】
【提出日】平成26年4月11日(2014.4.11)
【手続補正１】
【補正対象書類名】実用新案登録請求の範囲
【補正対象項目名】全文
【補正方法】変更
【補正の内容】
【実用新案登録請求の範囲】
【請求項１】
１次熱圧プレス成型工程により器状に作成されるとともに、メラミン粉材、メラミン粒基材、ベークライト粉及び粒、および尿素粉及び粒を含むメラミンの器であって、
上記メラミン粒基材は、メラミン粉材の粒状からなり、メラミン粉材と混合され、熱圧プレス成型によりメラミンの器が作成され、メラミンの器の外表面に色が表されることを特徴とするメラミンの器。
【請求項２】
前記メラミン粒基材と混合されるメラミン粉材は単色であり、
単色又は多色で粒のサイズが同じか異なるメラミン粒基材と混合され、熱圧プレス成型によりメラミンの器が作成されることを特徴とする請求項１に記載のメラミンの器。
【請求項３】
前記メラミン粒基材は、ベークライト粉及び粒、または尿素粉及び粒により代替され、安全かつ無毒な割合でメラミン粉材と混合され、熱圧プレス成型によりメラミンの器が作成されることを特徴とする請求項１に記載のメラミンの器。
【請求項４】
前記メラミン粉材は、ベークライト粉及び粒、または尿素粉及び粒により代替され、安全かつ無毒な割合でメラミン粒基材と混合され、熱圧プレス成型によりメラミンの器が作成されることを特徴とする請求項１に記載のメラミンの器。
【請求項５】
前記ベークライト粉及び粒、または尿素粉及び粒は、安全かつ無毒な割合でメラミン粉材及びメラミン粒基材と混合され、熱圧プレス成型によりメラミンの器が作成されることを特徴とする請求項１に記載のメラミンの器。
【請求項６】
１次熱圧プレス成型工程により作成されるとともに、メラミン粒基材、ベークライト粉及び粒、および尿素粉及び粒を含むメラミンの器であって、
上記メラミン粒基材は、メラミン粉材の粒状からなり、２種類又は３種類以上の色のメラミン粒基材と混合され、熱圧プレス成型によりメラミンの器が作成され、メラミンの器の外表面に色が表されることを特徴とするメラミンの器。
【請求項７】
前記メラミン粒基材の粒は、同じ又は異なるサイズを有することを特徴とする請求項６に記載のメラミンの器。
【請求項８】
前記メラミン粒基材は、ベークライト粉及び粒、または尿素粉及び粒により一部代替され、安全かつ無毒な割合でメラミン粒基材と混合され、熱圧プレス成型によりメラミンの器が作成されることを特徴とする請求項６に記載のメラミンの器。
【手続補正２】
【補正対象書類名】明細書
【補正対象項目名】０００２
【補正方法】変更
【補正の内容】
【０００２】
メラミンは、無臭かつ無毒で、耐熱性に優れ、表面硬度が高く、耐磨耗性を有し、着色自在で光沢性に優れ、環境汚染を発生させないなどの特性を有するため、各種日用品に広く応用されている。食器、果物用皿、サラダ用碗、ナイフ、フォーク、スプーンなど様々なキッチン用品以外に、浴室用品として作成することができ、その応用範囲は非常に広かった。メラミンは応用範囲が広く、その長所を高めながら、製造コストを下げることは現代人のニーズを満たすことができるため、メーカにとって重要な研究対象となっている。従来のメラミンの器構造は、メラミン基材（ｍｅｌａｍｉｎｅ  ｂａｓｉｃ  ｍａｔｅｒｉａｌ）、メラミン樹脂基材及び複数の木材料部材から構成されている。メラミン基材は、メラミン粉及び粒材を熱圧プレス成型し、メラミン樹脂と溶接して一体化し、接着して複数の木材料部を覆ってメラミンの器を作成する。上述した材料のメラミン基材、メラミン樹脂基材及び木質部のそれぞれを混合し、熱圧プレス成型によりメラミンの器を作成する。このように多数の熱圧プレス、複雑な製造工程を行うため、製造コストが高くなった。他の従来のメラミンの器構造では、メラミンの粉状又は粒状の材料を利用し、熱圧プレス成型工程によりメラミン基材を成形し、熱圧プレス成型されたメラミン粉砕状二次材と混合した後、１次熱圧プレス成型を行うが、その特徴としては粉砕状二次材が熱熔融により軟化しないため、形状が不規則であり、サイズが不均一で多種類の色の粉砕状二次材は、その色彩及び形状をメラミンの器の外表面にはっきりと表すことができる点であるが、このようなメラミンの器が使用するメラミン基材及びメラミン二次材は、それぞれ熱圧成形を行い、メラミン二次材をさらに粉砕処理する必要があるため、メラミン基材とメラミン二次材とを再び熱圧プレス成型しなければならず、全体の製造工程が複雑となり、製造コストが依然として高かった。
【手続補正３】
【補正対象書類名】明細書
【補正対象項目名】００１０
【補正方法】変更
【補正の内容】
【００１０】
本実施形態のメラミン粒基材１１は、ベークライト粉（ｂａｋｅｌｉｔｅ  ｐｏｗｄｅｒ）及び粒、または尿素粉及び粒により代替され、安全かつ無毒な割合を適用してメラミン粉材１０と混合され、熱圧プレス成型によりメラミンの器１を作成してもよい。
【手続補正４】
【補正対象書類名】明細書
【補正対象項目名】００１１
【補正方法】変更
【補正の内容】
【００１１】
本実施形態のメラミン粉材１０は、ベークライト粉及び粒、または尿素粉及び粒により代替され、安全かつ無毒な割合によりメラミン粒基材１１と混合され、熱圧プレス成型によりメラミンの器１を作成してもよい。
【手続補正５】
【補正対象書類名】明細書
【補正対象項目名】００１２
【補正方法】変更
【補正の内容】
【００１２】
本実施形態のベークライト粉及び粒、または尿素粉及び粒は、安全かつ無毒な割合でメラミン粉材１０及びメラミン粒基材１１と混合され、熱圧プレス成型によりメラミンの器１を作成してもよい。